(57)【要約】      （修正有）【課題】容易に組立てることができるとともに、強度的に優れる看板構造を提供する。【解決手段】プラスチック製の基台１と、基台１に立設されるプラスチック製の看板本体２と、を備える。基台１に上下方向の孔部９を貫設するとともに、孔部９の一部に雌ネジ部10が形成されている。看板本体２は、孔部９に上方から挿入する軸部11を有するとともに軸部11には雌ネジ部10に螺合する雄ネジ部12を有する。看板本体２は、表４と裏５にディスプレイ面板３を取付ける窓部６を有する周囲枠部７を有する。軸部11と、周囲枠部７とが、プラスチックの一体成型品にて形成されている。軸部11の下端13に、雄ネジ部12とは左右逆ネジの抜止め雄ネジ部14が、一体成型にて形成されている。【選択図】図２
2006293173.tif 000002
【特許請求の範囲】
【請求項１】
プラスチック製の基台（１）と、該基台（１）に立設されるとともに表示部（22）を有するプラスチック製の看板本体（２）と、を備えた看板構造に於て、
上記基台（１）に上下方向の孔部（９）を貫設するとともに、該孔部（９）の一部に雌ネジ部（10）を形成し、
上記看板本体（２）は、上記孔部（９）に上方から挿入する軸部（11）を有するとともに該軸部（11）には上記雌ネジ部（10）に螺合する雄ネジ部（12）を有し、
上記看板本体（２）を、プラスチックの一体成型品にて形成したことを特徴とする看板構造。
【請求項２】
プラスチック製の基台（１）と、該基台（１）に立設されるとともに少なくとも表（４）にディスプレイ面板（３）を取付けるプラスチック製の看板本体（２）と、を備えた看板構造に於て、
上記基台（１）に上下方向の孔部（９）を貫設するとともに、該孔部（９）の一部に雌ネジ部（10）を形成し、
上記看板本体（２）は、上記孔部（９）に上方から挿入する軸部（11）を有するとともに該軸部（11）には上記雌ネジ部（10）に螺合する雄ネジ部（12）を有し、
上記看板本体（２）を、プラスチックの一体成型品にて形成したことを特徴とする看板構造。
【請求項３】
プラスチック製の基台（１）と、該基台（１）に立設されるプラスチック製の看板本体（２）と、を備えた看板構造に於て、
上記基台（１）に上下方向の孔部（９）を貫設するとともに、該孔部（９）の一部に雌ネジ部（10）を形成し、
上記看板本体（２）は、上記孔部（９）に上方から挿入する軸部（11）を有するとともに該軸部（11）には上記雌ネジ部（10）に螺合する雄ネジ部（12）を有し、かつ、上記看板本体（２）は、表（４）と裏（５）にディスプレイ面板（３）を取付ける窓部（６）を有する周囲枠部（７）を有し、
上記軸部（11）と、上記周囲枠部（７）とを、プラスチックの一体成型品にて形成したことを特徴とする看板構造。
【請求項４】
上記軸部（11）の下端（13）に、上記雄ネジ部（12）とは左右逆ネジの抜止め雄ネジ部（14）を、一体成型にて形成した請求項１，２又は３記載の看板構造。
【発明の詳細な説明】
【技術分野】
【０００１】
本発明は、看板構造に関する。
【背景技術】
【０００２】
従来の看板構造としては、看板本体をポールに取付け、このポールを支持台にネジにて固着して立設したものが公知である（例えば、特許文献１参照）。
【０００３】
しかし、部品点数が多く、組立てに手間がかかるとともに、強度的に弱いという欠点があった。
【特許文献１】特開平８−１２３３４７号公報
【発明の開示】
【発明が解決しようとする課題】
【０００４】
解決しようとする課題は、部品点数が多く、組立てに手間がかかるとともに、強度的に弱いという点である。
【課題を解決するための手段】
【０００５】
そこで、本発明に係る看板構造は、プラスチック製の基台と、該基台に立設されるとともに表示部を有するプラスチック製の看板本体と、を備えた看板構造に於て、上記基台に上下方向の孔部を貫設するとともに、該孔部の一部に雌ネジ部を形成し、上記看板本体は、上記孔部に上方から挿入する軸部を有するとともに該軸部には上記雌ネジ部に螺合する雄ネジ部を有し、上記看板本体を、プラスチックの一体成型品にて形成したものである。
また、プラスチック製の基台と、該基台に立設されるとともに少なくとも表にディスプレイ面板を取付けるプラスチック製の看板本体と、を備えた看板構造に於て、上記基台に上下方向の孔部を貫設するとともに、該孔部の一部に雌ネジ部を形成し、上記看板本体は、上記孔部に上方から挿入する軸部を有するとともに該軸部には上記雌ネジ部に螺合する雄ネジ部を有し、上記看板本体を、プラスチックの一体成型品にて形成したものである。
【０００６】
また、プラスチック製の基台と、該基台に立設されるプラスチック製の看板本体と、を備えた看板構造に於て、上記基台に上下方向の孔部を貫設するとともに、該孔部の一部に雌ネジ部を形成し、上記看板本体は、上記孔部に上方から挿入する軸部を有するとともに該軸部には上記雌ネジ部に螺合する雄ネジ部を有し、かつ、上記看板本体は、表と裏にディスプレイ面板を取付ける窓部を有する周囲枠部を有し、上記軸部と、上記周囲枠部とを、プラスチックの一体成型品にて形成したものである。
また、上記軸部の下端に、上記雄ネジ部とは左右逆ネジの抜止め雄ネジ部を、一体成型にて形成したものである。
【発明の効果】
【０００７】
本発明の看板構造によれば、部品点数が少なく、容易に組立てることができるとともに、強度的に優れる。
【発明を実施するための最良の形態】
【０００８】
図１は、本発明の第１の実施の形態の使用状態を示す。図２は、図１のＡ−Ａ断面側面図を示す。この看板構造は、プラスチック製の基台１と、基台１に立設されるプラスチック製の看板本体２と、を備える。プラスチックとは、例えば、ＰＥ（ポリエチレン）、ＰＰ（ポリプロピレン）、ＡＢＳ樹脂等である。基台１と看板本体２は、ともに中空に形成されている。そして、基台１は内部Ｎに水Ｗが収納されて、水Ｗにはたらく重力Ｆによって安定姿勢を保持している。３は宣伝文字、案内表示、店名、地図、絵等が印刷や貼着や凹凸成型等で表示Ｐされたディスプレイ面板を示す。看板本体２は、表４と裏５にディスプレイ面板３を取付ける窓部６を有する縦長矩形状周囲枠部７を有する。そして、ディスプレイ面板３は、取付部材８（係止片、ネジ等）を介して看板本体２に取付けられている。
【０００９】
図２・図３に示すように、基台１に上下方向の孔部９が貫設されるとともに、孔部９の一部に雌ネジ部10が形成されている。看板本体２は、孔部９に上方から挿入する中空の軸部（下方支柱部）11を有するとともに軸部11には雌ネジ部10に螺合する雄ネジ部12を有する。軸部11と、周囲枠部７とは、プラスチックの一体成型品にて形成されている。
【００１０】
軸部11の下端13に、雄ネジ部12とは左右逆ネジの抜止め雄ネジ部14が、一体成型にて形成されている。図２〜図４に示すように、15は、雄ネジ部12と螺合する雌ネジ部17を有し、軸部11が孔部９から抜けるのを防止するプラスチック製ロックナットを示す。
【００１１】
次に、第１の実施の形態に於ける看板本体２の製法について説明する。看板本体２は、例えば、ブロー成型にて製造される。具体的には、まず、図５〜図７に示すような形状───すなわち、窓部６が中間捨て材部16にて塞がれた状態───の中間体Ｍを製造する。図６は、図５のＢ−Ｂ断面側面図を示す。図７は、図５のＣ−Ｃ端面断面図を示す。その後、中間捨て材部16を周囲枠部７から切除して、看板本体２を製造する。20は、この切除のための分離部を示す。
なお、ブロー成型の代わりに、射出成型、真空成型、回転成型等により看板本体２を製造しても良い。
【００１２】
図８は、第２の実施の形態を示す。看板本体２は、プラスチックの一体成型品にて形成されている。看板本体２は、表示部22を有する。表示部22は、例えば、宣伝文字、案内表示、店名、地図、絵等が印刷や貼着や凹凸成型等で表示Ｐされたものである。
【００１３】
次に、図示省略するが、第３の実施の形態を説明する。この看板構造は、窓部６を有していない看板本体２の少なくとも表４にディスプレイ面板３を取り付けたものである。
【００１４】
本発明は、設計変更可能であって、例えば、ディスプレイ面板３を、シール（密封部材）、接着剤等にて、看板本体２に取り付けるも良い。また、逆ネジ以外の機構にて、軸部11を抜止めするも良い。また、基台１の内部Ｎに、砂等を入れても良い。また、第１の実施の形態に於て、周囲枠部７は横長矩形状、円形状、楕円形状等とするも良い。また、看板本体２とディスプレイ面板３の間に、光源（例えば、蛍光灯、ＬＥＤ等）を入れるのが好ましい。この場合、全体が電飾看板となり、人目をひくので、宣伝効果又はディスプレイ効果が大きい。
【００１５】
以上のように、本発明は、プラスチック製の基台１と、基台１に立設されるとともに表示部22を有するプラスチック製の看板本体２と、を備えた看板構造に於て、基台１に上下方向の孔部９を貫設するとともに、孔部９の一部に雌ネジ部10を形成し、看板本体２は、孔部９に上方から挿入する軸部11を有するとともに軸部11には雌ネジ部10に螺合する雄ネジ部12を有し、看板本体２を、プラスチックの一体成型品にて形成したので、部品点数が低減できて、容易に組立てることができるとともに、強度的に優れる。また、容易に製造することができる。また、構造がシンプルであるとともに、外観がシンプルである。また、全体が軽量であって、容易に持ち運ぶことができる。
【００１６】
また、プラスチック製の基台１と、基台１に立設されるとともに少なくとも表４にディスプレイ面板３を取付けるプラスチック製の看板本体２と、を備えた看板構造に於て、基台１に上下方向の孔部９を貫設するとともに、孔部９の一部に雌ネジ部10を形成し、看板本体２は、孔部９に上方から挿入する軸部11を有するとともに軸部11には雌ネジ部10に螺合する雄ネジ部12を有し、看板本体２を、プラスチックの一体成型品にて形成したので、部品点数が低減できて、容易に組立てることができるとともに、強度的に優れる。また、容易に製造することができる。また、構造がシンプルであるとともに、外観がシンプルである。また、全体が軽量であって、容易に持ち運ぶことができる。
【００１７】
また、プラスチック製の基台１と、基台１に立設されるプラスチック製の看板本体２と、を備えた看板構造に於て、基台１に上下方向の孔部９を貫設するとともに、孔部９の一部に雌ネジ部10を形成し、看板本体２は、孔部９に上方から挿入する軸部11を有するとともに軸部11には雌ネジ部10に螺合する雄ネジ部12を有し、かつ、看板本体２は、表４と裏５にディスプレイ面板３を取付ける窓部６を有する周囲枠部７を有し、軸部11と、周囲枠部７とを、プラスチックの一体成型品にて形成したので、部品点数がさらに低減できて、より容易に組立てることができるとともに、強度的に優れる。また、容易に製造することができる。また、構造がシンプルであるとともに、外観がシンプルである。また、全体が軽量であって、容易に持ち運ぶことができる。
【００１８】
また、軸部11の下端13に、雄ネジ部12とは左右逆ネジの抜止め雄ネジ部14を、一体成型にて形成したので、雄ネジ部14にロックナット15を螺合させることにより、軸部11が孔部９から抜けるのを確実に防止することができる。
【図面の簡単な説明】
【００１９】
【図１】本発明の第１の実施の形態の使用状態を示す正面図である。
【図２】図１のＡ−Ａ断面側面図である。
【図３】要部拡大断面正面図である。
【図４】ロックナットを示す平面図である。
【図５】中間体を示す正面図である。
【図６】図５のＢ−Ｂ断面側面図である。
【図７】図５のＣ−Ｃ端面断面図である。
【図８】第２の実施の形態を示す正面図である。
【符号の説明】
【００２０】
１  基台
２  看板本体
３  ディスプレイ面板
４  表
５  裏
６  窓部
７  周囲枠部
９  孔部
10  雌ネジ部
11  軸部
12  雄ネジ部
13  下端
14  雄ネジ部
22  表示部
【図１】
2006293173.tif 000003
【図２】
2006293173.tif 000004
【図３】
2006293173.tif 000005
【図４】
2006293173.tif 000006
【図５】
2006293173.tif 000007
【図６】
2006293173.tif 000008
【図７】
2006293173.tif 000009
【図８】
2006293173.tif 000010